(57)【特許請求の範囲】
【請求項１】
端末装置と、前記端末装置に着脱可能に取り付けられる装着装置とを有するコンテンツ受信システムであって、
前記装着装置は、
コンテンツデータを取得する取得手段と、
前記取得手段により取得された前記コンテンツデータを前記端末装置に送信する送信手段と、
前記コンテンツデータを記憶する第１の記憶手段と
を備え、
前記端末装置は、
前記送信手段により送信された前記コンテンツデータを受信する受信手段と、
前記装着装置の取り付け、または取り外しを検知する検知手段と、
前記コンテンツデータを再生する第１の再生手段と、
前記検知手段による前記装着装置の取り付け、または取り外しの検知結果に基づいて、前記受信手段により受信された前記コンテンツデータの出力先として、前記第１の記憶手段、または前記第１の再生手段の少なくともいずれか一つを選択する選択手段と
を備え、
前記装着装置は、
前記端末装置の前記選択手段による選択結果に基づいて、前記第１の記憶手段、または前記第１の再生手段の少なくともいずれか一つに、前記取得手段により取得された前記コンテンツデータを出力する
ことを特徴とするコンテンツ受信システム。
【請求項２】
前記端末装置は、
前記コンテンツデータを記憶する第２の記憶手段を更に備え、
前記選択手段は、
前記検知手段による前記装着装置の取り付け、または取り外しの検知結果に基づいて、前記受信手段により受信された前記コンテンツデータの出力先として、前記第１の記憶手段、前記第２の記憶手段、または前記第１の再生手段の少なくともいずれか一つを選択し、
前記装着装置は、
前記端末装置の前記選択手段による選択結果に基づいて、前記第１の記憶手段、前記第２の記憶手段、または前記第１の再生手段の少なくともいずれか一つに、前記取得手段により取得された前記コンテンツデータを出力する
ことを特徴とする請求項１に記載のコンテンツ受信システム。
【請求項３】
前記選択手段は、
前記コンテンツデータを受信している際に前記検知手段により前記装着装置の取り外しが検知されると、前記コンテンツデータの出力先として、前記第１の記憶手段を選択し、
前記装着装置は、
前記端末装置の前記選択手段によって選択された出力先である前記第１の記憶手段に、前記取得手段により取得された前記コンテンツデータを出力する
ことを特徴とする請求項１または２に記載のコンテンツ受信システム。
【請求項４】
前記端末装置、及び／または前記装着装置に、有線または無線によって接続され、第２の再生手段、及び／または第３の記憶手段を備える外部機器を更に備え、
前記選択手段は、
前記検知手段による前記装着装置の取り付け、または取り外しの検知結果に基づいて、前記コンテンツデータの出力先として、更に、前記第２の再生手段、または前記第３の記憶手段の少なくともいずれか一つを選択し、
前記装着装置は、
前記端末装置の前記選択手段による選択結果に基づいて、前記コンテンツデータの出力先として、更に、前記第２の再生手段、または前記第３の記憶手段の少なくともいずれか一つに、前記取得手段により取得された前記コンテンツデータを出力する
ことを特徴とする請求項１または２に記載のコンテンツ受信システム。
【請求項５】
前記端末装置は、
着信応答機能を有する通信手段を更に備え、
前記検知手段は、
前記第１の再生手段により前記コンテンツデータが再生されている際に着信があった場合に、前記装着装置の取り付け、または取り外しを検知し、
前記通信手段は、
前記検知手段により前記装着装置の取り外しが検知されると、着信応答を開始することを特徴とする請求項１乃至３のいずれかに記載のコンテンツ受信システム。
【請求項６】
前記第１の再生手段は、
前記着信応答手段による着信応答に伴う通話の終了後、前記検知手段により前記装着装置の取り付けが検知された場合には、前記第１の記憶手段に記憶されているコンテンツデータを、前記通話により再生が中断されていた時間分を遡って再生する
ことを特徴とする請求項５に記載のコンテンツ受信システム。
【請求項７】
前記端末装置は、
コンテンツデータの視聴予約を受け付ける視聴予約手段を更に備え、
前記検知手段は、
前記視聴予約手段により受け付けられたコンテンツデータの視聴開始予定時刻になると、前記装着装置の取り付け、または取り外しを検知し、
前記選択手段は、
前記検知手段により前記装着装置の取り付け、または取り外しの検知結果に基づいて、前記コンテンツデータの出力先として、前記第１の再生手段、または前記第１の記憶手段の少なくともいずれか一つを選択し、
前記装着装置は、
前記端末装置の前記選択手段による選択結果に基づいて、前記第１の再生手段、または前記第１の記憶手段の少なくともいずれか一つに、前記取得手段により取得された前記コンテンツデータを出力する
ことを特徴とする請求項３乃至５に記載のコンテンツ受信システム。
【請求項８】
端末装置に着脱可能に取り付けられる装着装置であって、
コンテンツデータを取得する取得手段と、
前記コンテンツデータを記憶する記憶手段と、
当該装着装置の前記端末装置への取り付け、または取り外しの検知結果に基づいて選択される、前記コンテンツデータの出力先指定に基づいて、前記記憶手段、または前記端末装置の少なくともいずれか一つに、前記取得手段により取得された前記コンテンツデータを出力する出力手段と
を備えることを特徴とする装着装置。
【請求項９】
装着装置が着脱可能に取り付けられる端末装置であって、
前記装着装置から送信された前記コンテンツデータを受信する受信手段と、
前記装着装置の取り付け、または取り外しを検知する検知手段と、
前記受信手段により受信された前記コンテンツデータを再生する再生手段と、
前記検知手段による前記装着装置の取り付け、または取り外しの検知結果に基づいて、前記コンテンツデータの出力先として、前記装着装置、または前記再生手段の少なくともいずれか一つを選択し、該選択した前記コンテンツデータの出力先を、前記装着装置に指示する選択手段と
を備えることを特徴とする端末装置。
【発明の詳細な説明】
【技術分野】
【０００１】
本発明は、端末装置に装着装置を取り付けてコンテンツデータを受信するコンテンツ受信システム、装着装置、及び端末装置に関する。
【背景技術】
【０００２】
近年、携帯端末本体に着脱可能なパネル部材や、多機能ドングルを装着することで、パネル部材等に応じた付加機能を追加することのできる携帯端末が開示されている。
【０００３】
例えば、特許文献１、２には、パネル部材を装着して使用する携帯端末において、携帯端末が、装着されたパネル部材に記憶された情報に応じて動作する技術が開示されている。これにより、パネル部材を付け替えることにより、使用用途や、所有者に応じて、動作を変更することが可能となっている。
【０００４】
また、特許文献３には、カメラ機能、発光機能、音響機能等、付加機能に応じて、背面パネルを着せ替える技術が開示されている。
【０００５】
また、特許文献４には、携帯用端末機に着脱可能に構成して、モバイル金融取引サービス、端末機充電、ＦＭ送信器等の機能を選択的に使用可能にした多機能ドングルが開示されている。
【０００６】
さらに、特許文献５には、インターネット通信モジュールとデジタル放送受信モジュールとを内蔵するモジュールを、ＵＳＢ（Universal Serial Bus）によって携帯端末に接続することで、デジタル放送を受信可能な携帯端末が開示されている。
【先行技術文献】
【特許文献】
【０００７】
【特許文献１】特開２００９−１５９２７６号公報
【特許文献２】特開２００５−２０４０３９号公報
【特許文献３】特開２００４−１７２６５４号公報
【特許文献４】特開２００７−２８２２４１号公報
【特許文献５】特開２００９−１６３６９９号公報
【発明の概要】
【発明が解決しようとする課題】
【０００８】
ところで、端末装置に装着装置を取り付けてデジタル放送等のコンテンツデータを受信する場合、コンテンツデータの出力先や、再生・録画（録音）といったコンテンツデータの使用形態（視聴態様）には、さまざまなケースが考えられる。
【０００９】
しかしながら、上述した特許文献１乃至５に記載の技術では、このような多岐にわたる使用形態に合わせて、コンテンツデータの出力先や、再生・録画といった操作をその都度設定する必要があり、煩雑であるという問題がある。
【００１０】
そこで本発明は、ユーザの手を煩わすことのないコンテンツ受信システム、装着装置、及び端末装置を提供することを目的とする。
【課題を解決するための手段】
【００１１】
本発明のコンテンツ受信システムは、端末装置と、前記端末装置に着脱可能に取り付けられる装着装置とを有するコンテンツ受信システムであって、前記装着装置は、コンテンツデータを取得する取得手段と、前記取得手段により取得された前記コンテンツデータを前記端末装置に送信する送信手段と、前記コンテンツデータを記憶する第１の記憶手段とを備え、前記端末装置は、前記送信手段により送信された前記コンテンツデータを受信する受信手段と、前記装着装置の取り付け、または取り外しを検知する検知手段と、前記コンテンツデータを再生する第１の再生手段と、前記検知手段による前記装着装置の取り付け、または取り外しの検知結果に基づいて、前記受信手段により受信された前記コンテンツデータの出力先として、前記第１の記憶手段、または前記第１の再生手段の少なくともいずれか一つを選択する選択手段とを備え、前記装着装置は、前記端末装置の前記選択手段による選択結果に基づいて、前記第１の記憶手段、または前記第１の再生手段の少なくともいずれか一つに、前記取得手段により取得された前記コンテンツデータを出力することを特徴とするコンテンツ受信システムである。
【００１２】
本発明の装着装置は、端末装置に着脱可能に取り付けられる装着装置であって、コンテンツデータを取得する取得手段と、前記コンテンツデータを記憶する記憶手段と、当該装着装置の前記端末装置への取り付け、または取り外しの検知結果に基づいて選択される、前記コンテンツデータの出力先指定に基づいて、前記記憶手段、または前記端末装置の少なくともいずれか一つに、前記取得手段により取得された前記コンテンツデータを出力する出力手段とを備えることを特徴とする装着装置である。
【００１３】
本発明の端末装置は、装着装置が着脱可能に取り付けられる端末装置であって、前記装着装置から送信された前記コンテンツデータを受信する受信手段と、前記装着装置の取り付け、または取り外しを検知する検知手段と、前記受信手段により受信された前記コンテンツデータを再生する再生手段と、前記検知手段による前記装着装置の取り付け、または取り外しの検知結果に基づいて、前記コンテンツデータの出力先として、前記装着装置、または前記再生手段の少なくともいずれか一つを選択し、該選択した前記コンテンツデータの出力先を、前記装着装置に指示する選択手段とを備えることを特徴とする端末装置である。
【発明の効果】
【００１４】
この発明によれば、装着装置の取り付け、または取り外しをトリガーとしてコンテンツデータの使用形態を容易に変更することができるので、ユーザの手を煩わすことがなくなる。
【図面の簡単な説明】
【００１５】
【図１】本発明の第１実施形態によるコンテンツ受信システム１の外観構成を示す斜視図である。
【図２】本第１実施形態によるコンテンツ受信システム１を構成する端末装置１００と、装着装置２００との構成を示すブロック図である。
【図３】本第１実施形態によるコンテンツ受信システム１を構成する端末装置１００と、装着装置２００との動作を説明するためのシーケンス図である。
【図４】本第１実施形態の端末装置１００の第１動作例を説明するためのフローチャートである。
【図５】本第１実施形態の装着装置２００の第１動作例を説明するためのフローチャートである。
【図６】本第２実施形態によるコンテンツ受信システム１を構成する端末装置１００と、装着装置２００と、外部機器３００との構成を示すブロック図である。
【図７】本第２実施形態による端末装置１００の動作を説明するためのフローチャートである。
【図８】本第２実施形態による装着装置２００の動作を説明するためのフローチャートである。
【図９】本第３実施形態によるコンテンツ受信システム１を構成する端末装置１００と、装着装置２００との構成を示すブロック図である。
【図１０】本第３実施形態による端末装置１００の動作を説明するためのフローチャートでさる。
【図１１】本第４実施形態によるコンテンツ受信システム１を構成する端末装置１００と、装着装置２００との構成を示すブロック図である。
【図１２】本第４実施形態による端末装置１００の動作を説明するためのフローチャートである。
【図１３】付記１の構成図である。
【発明を実施するための形態】
【００１６】
以下、本発明の実施の形態を、図面を参照して説明する。
【００１７】
Ａ．第１実施形態
図１（ａ）、（ｂ）は、本発明の第１実施形態によるコンテンツ受信システム１の外観構成を示す斜視図である。図１（ａ）、（ｂ）において、コンテンツ受信システム１は、端末装置１００と、当該端末装置１００に取り付けられる装着装置２００とを備えている。端末装置１００には、装着装置２００が着脱自在に装着されるようになっている。図１（ａ）、（ｂ）のそれぞれには、装着装置２００（左側）と、該装着装置２００が取り付けられた端末装置１００とが示されている。装着装置２００としては、図１（ａ）、（ｂ）に示されているように、その形状、色、材質等、様々なものが採用される。
【００１８】
図２は、本第１実施形態によるコンテンツ受信システム１を構成する端末装置１００と、装着装置２００との構成を示すブロック図である。装着装置２００は、取得手段２０１と、送受信手段２０２と、第１の記憶手段２０３とを備えている。取得手段２０１は、インターネット（図示略）等を介してコンテンツデータを取得する。取得手段２０１としては、地上デジタル放送や、マルチメディア放送に対応したチューナー、アンテナなどが含まれる。受信するコンテンツデータとしては、例えば、地上デジタル放送や、マルチメディア放送などが考えられるが、これに限定されない。
【００１９】
送受信手段２０２は、取得手段２０１により取得されたコンテンツデータを端末装置１００に送信するとともに、端末装置１からコンテンツデータの出力先を指示する出力先指示（信号）を受信する。装着装置２００と端末装置１００との間の通信（送受信）は、例えば、無線ＬＡＮ（Ｗｉ−ｆｉ）、Bluetooth（登録商標）、非接触ＩＣ等で行われる。第１の記憶手段２０３は、コンテンツデータを記憶する。装着装置２００は、端末装置１からの出力先指示に従って、コンテンツデータを端末装置１００に出力するか、自身の第１の記憶手段に出力する。なお、装着装置２００は、図示しないバッテリを内蔵しており、端末装置１００に取り付けられていない状態であっても、独立して動作することが可能である。
【００２０】
端末装置１００は、送受信手段１０１と、検知手段１０２と、第２の記憶手段１０３と、第１の再生手段１０４と、選択手段１０５とを備えている。送受信手段１０１は、装着装置２００の送受信手段２０１から送信されたコンテンツデータを受信するとともに、検知手段１０２による、装着装置２００の取り付け、または取り外し検知結果に基づいて選択した、コンテンツデータの出力先を指示する出力先指示（信号）を、装着装置２００に送信する。
【００２１】
検知手段１０２は、装着装置２００の取り付け、または取り外しを検知する。具体的には、装着装置２００の検知手段（図示略）に機械的に接触するか、または電磁誘導的に結合して、装着装置２００の取り付けを検知する。他にも、端末装置１００の検知手段１０２と装着装置２００の検知手段（図示略）との導通を検知してもよいし、装着装置２００の取り付けによって端末装置１００に設けたスイッチ（図示略）が押下されることを検知してもよい。また、磁気センサーや、光センサーなどによる検知も考えられる。検知手段１０２をBluetooth（登録商標）、非接触ＩＣ等にて構成する場合には、装着装置２００と端末装置１００との間の送受信手段と検知手段とを兼ねてもよい。
【００２２】
第２の記憶手段１０３は、コンテンツデータを記憶する。第１の再生手段１０４は、端末装置１００に装着装置２００が取り付けられ、取得手段２０１によりコンテンツデータが取得されている状態で、コンテンツデータを再生する。また、第１の再生手段１０４は、第２の記憶手段１０３に記憶されているコンテンツデータを再生することも可能となっており、この場合、端末装置１００に装着装置２００が取り付けられていなくてもよい。第１の再生手段１０４としては、音楽再生、動画再生等を行うための一般的なデコーダを用いることができる。選択手段１０５は、検知手段１０２による装着装置２００の取り付け、または取り外しの検知に応じて、受信手段１０１により受信されたコンテンツデータの出力先として第１の記憶手段２０３、第２の記憶手段１０３、または第１の再生手段１０４の少なくともいずれか１つを選択するようになっている。
【００２３】
図３は、本第１実施形態によるコンテンツ受信システム１を構成する端末装置１００と、装着装置２００との動作を説明するためのシーケンス図である。まず、装着装置２００の取得手段２０１によってコンテンツデータを取得する（ステップＳ１０）。次に、当該コンテンツデータは、取得手段２０１から、送受信手段２０２を介して端末装置１００に送信される（ステップＳ１２）。
【００２４】
端末装置１００では、上記装着装置２００の送受信手段２０２から送信されたコンテンツデータを送受信手段１０１により受信する（ステップＳ１４）。次に、端末装置１００では、検知手段１０２による装着装置２００の取り付け、または取り外しを検知し（ステップＳ１６）、該検知結果に応じて、選択手段１０５によって、送受信手段１０１により受信されたコンテンツデータの出力先として第１の記憶手段２０３、第２の記憶手段１０３、または第１の再生手段１０４の少なくともいずれか１つを選択する（ステップＳ１８）。なお、コンテンツデータの出力先としては、第１の記憶手段２０３、または第１の再生手段１０４のいずれか一方、すなわち装着装置２００、または端末装置１００のいずれか一方であってもよい。次に、選択した出力先を指示するための出力先指示（信号）が、送受信手段１０１を介して、装着装置２００に送信される。
【００２５】
装着装置２００では、送受信手段２０２によって上記出力先指示を受信し、該出力先指示で指示される出力先、すなわち、第１の記憶手段２０３、第２の記憶手段１０３、または第１の再生手段１０４の少なくともいずれか１つにコンテンツデータを出力する（ステップＳ２０）。上述したように、コンテンツデータの出力先として第１の記憶手段２０３、または第１の再生手段１０４のいずれか一方が出力先として指示された場合には、第１の記憶手段２０３、または第１の再生手段１０４のいずれか一方にコンテンツデータを出力する。
【００２６】
これにより、端末装置１００への装着装置２００の取り付け、または取り外しの検知に応じて、受信したコンテンツデータの端末装置１００での再生、装着装置２００での記憶、あるいは端末装置１００での記憶を制御することができる。すなわち、コンテンツデータの出力先として、第１の記憶手段２０３が選択された場合には、コンテンツデータは、装着装置２００の第１の記憶手段２０３に記憶される。また、コンテンツデータの出力先として、第２の記憶手段１０３が選択された場合には、コンテンツデータは、端末装置１００の第２の記憶手段１０３に記憶される。そして、コンテンツデータの出力先として、第１の再生手段１０４が選択された場合には、コンテンツデータは、端末装置１００の第１の再生手段１０４で再生される。
【００２７】
なお、コンテンツデータの出力先は、工場出荷時に予め設定されていてもよいし、ユーザにより設定されてもよい。後者の場合、各ユーザの使用形態に合わせた設定が可能となる。
【００２８】
次に、本実施形態において、装着装置２００の取り付け、または取り外しの検知に応じた、コンテンツデータの出力先の選択動作の具体例について説明する。
【００２９】
Ａ−１．第１動作例
まず、コンテンツデータの記憶（録画）を開始する場合の動作例について説明する。
図４は、本第１実施形態の端末装置１００の第１動作例を説明するためのフローチャートである。また、図５は、本第１実施形態の装着装置２００の第１動作例を説明するためのフローチャートである。端末装置１００には、装着装置２００が取り付けられており、装着装置２００の取得手段２０１により受信された、ストリーミングデータ（例えば、マルチメディア放送）などのコンテンツデータを受信して第１の再生手段１０４で再生しているものとする。
【００３０】
端末装置１００は、ストリーミングデータ（例えば、マルチメディア放送）などのコンテンツデータを再生している場合（ステップＳ３０）、検知手段１０２によって装着装置２００の取り外し有無を検知したか否かを判断する（ステップＳ３２）。そして、取り外しが検知された場合には（ステップＳ３２のＹＥＳ）、選択手段１０５によって、コンテンツデータの出力先として第１の記憶手段２０３を選択し（ステップＳ３４）、第１の記憶手段２０３を出力先として装着装置２００に指示する（ステップＳ３６）。
【００３１】
一方、取り外しが検知されない場合には（ステップＳ３２のＮＯ）、選択手段１０５によって、コンテンツデータの出力先として端末装置１００（第１の再生手段１０４）を選択し（ステップＳ３８）、端末装置１００（第１の再生手段１０４）を出力先として装着装置２００に指示する（ステップＳ４０）。なお、装着装置２００が取り外されていない場合、出力先は変更されないので、ステップＳ３８、Ｓ４０を省略してもよい。
【００３２】
装着装置２００では、受信したコンテンツデータを端末装置１００（第１の再生手段１０４）に出力している間、送受信手段２０２によって端末装置１００から出力先指示を受信したか否かを判断する（ステップＳ５０）。そして、出力先指示を受信していない場合には（ステップＳ５０のＮＯ）、受信したコンテンツデータを端末装置１００（第１の再生手段１０４）に出力を継続する。
【００３３】
一方、端末装置１００から出力先指示を受信した場合には（ステップＳ５０のＹＥＳ）、出力先指示により指示されている出力先が端末装置１００であるか、第１の記憶手段２０３であるかを判断する（ステップＳ５２）。そして、出力先指示により指示されている出力先が端末装置１００である場合には（ステップＳ５２の「端末装置」）、コンテンツデータを端末装置１００（第１の再生手段１０４）に出力する（ステップＳ５４）。これにより、装着装置２００が取り付けられている状態では、端末装置１００の第１の再生手段１０４でのコンテンツ再生が継続される。
【００３４】
一方、出力先指示により指示されている出力先が第１の記憶手段２０３である場合には（ステップＳ５２の「第１の記憶手段」）、コンテンツデータを自身の第１の記憶手段２０３に出力する（ステップＳ５６）。これにより、装着装置２００が取り外されている状態では、装着装置２００の第１の記憶手段２０３にコンテンツが記憶（録画）される。
【００３５】
なお、装着装置２００が装着されている際に、再生されているコンテンツデータを記憶（録画）する場合には、端末装置１００の第２の記憶手段１０３、または装着装置２００の第１の記憶手段２０３のいずれかに記憶すればよい。また、コンテンツデータが音楽データ等の場合も同様の動作で対応可能である。
【００３６】
Ａ−２．第２動作例
次に、遡ってコンテンツデータを記憶（録画）する場合について説明する。
上述したように、装着装置２００の取り外しに応じてコンテンツデータの記憶（録画）を開始する場合に、実際に記憶される録画データを、装着装置２００を外す数秒前からのデータとする。具体的には、装着装置２００の第１の記憶手段２０３に、取り外し前の所定時間分のコンテンツデータをキャッシュとして保存しておけばよい。これにより、装着装置２００を外してから録画動作に切り替わるまでの間に受信したコンテンツデータも漏らさずに、装着装置２００の第１の記憶手段２０３に記憶（録画）することができる。
【００３７】
上述した第１実施形態によれば、装着装置２００の取り付け、または取り外しをトリガーとして、ユーザの手を煩わすことなく、コンテンツデータの使用形態を容易に変更することができる。
【００３８】
また、上述した第１実施形態によれば、ストリーミングデータ等のコンテンツデータ再生中に装着装置２００を外すと、端末装置１００では、コンテンツデータのリアルタイム再生ができなくなるが、装着装置２００の取り外し後も、装着装置２００にてコンテンツデータを受信し、装着装置２００の記憶手段にて記憶（録画）することができる。装着装置２００が外れてコンテンツデータを再生することができなくなってしまっても、自動的に記憶（録画）されるので、見逃すことがなくなる。
【００３９】
Ｂ．第２実施形態
次に、本発明の第２実施形態について説明する。
図６は、本第２実施形態によるコンテンツ受信システム１を構成する端末装置１００と、装着装置２００と、外部機器３００との構成を示すブロック図である。図において、図２に対応する部分には同一の符号を付けて説明を省略する。図６において、コンテンツ受信システム１には、外部機器３００（例えば、スピーカーや、液晶テレビ、レコーダなど）が備えられている。外部機器３００は、第３の記憶手段３０３と、第２の再生手段３０４と、受信手段３０５とを備えている。
【００４０】
外部機器３００と端末装置１００との間の通信（送受信）、あるいは外部機器３００と装着装置２００との間の通信（送受信）は、端末装置１００の送受信手段１０１、装着装置２００の送受信手段２０２、外部機器３００の受信手段３０５によって、例えば、有線、無線ＬＡＮ（Ｗｉ−ｆｉ）、Bluetooth（登録商標）、非接触ＩＣ等で行われる。なお、端末装置１００、装着装置２００、及び外部機器３００は、既存の技術により互いを識別可能であり、該識別技術を用いることで、特定の機器間で、コンテンツデータを送受信することが可能となっている。
【００４１】
図７は、本第２実施形態による端末装置１００の動作を説明するためのフローチャートである。また、図８は、本第２実施形態による装着装置２００の動作を説明するためのフローチャートである。端末装置１００は、コンテンツデータを再生している状態で（ステップＳ６０）、検知手段１０２によって装着装置２００の取り外し有無を検知したか否かを判断する（ステップＳ６２）。そして、取り外しが検知された場合には（ステップＳ６２のＹＥＳ）、端末装置１００は、選択手段１０５によって、コンテンツデータの出力先として、外部機器３００（の第２の再生手段３０４、またはその第３の記憶手段３０３）を選択し（ステップＳ６４）、外部機器３００を出力先として装着装置２００に指示する（ステップＳ６６）。
【００４２】
一方、取り外しが検知されない場合には（ステップＳ６２のＮＯ）、選択手段１０５によって、コンテンツデータの出力先として端末装置１００（第１の再生手段１０４）を選択し（ステップＳ６８）、端末装置１００（第１の再生手段１０４）を出力先として装着装置２００に指示する（ステップＳ７０）。なお、装着装置２００が取り外されていない場合、出力先は変更されないので、ステップＳ６８、Ｓ７０を省略してもよい。
【００４３】
装着装置２００では、受信したコンテンツデータを端末装置１００（第１の再生手段１０４）に出力している間、送受信手段２０２によって端末装置１００から出力先指示を受信したか否かを判断する（ステップＳ８０）。そして、出力先指示を受信していない場合には（ステップＳ８０のＮＯ）、受信したコンテンツデータを端末装置１００（第１の再生手段１０４）に出力を継続する。
【００４４】
一方、端末装置１００から出力先指示を受信した場合には（ステップＳ８０のＹＥＳ）、出力先指示により指示されている出力先が端末装置１００であるか、外部機器３００であるかを判断する（ステップＳ８２）。そして、出力先指示により指示されている出力先が端末装置１００である場合には（ステップＳ８２の「端末装置」）、コンテンツデータを端末装置１００（第１の再生手段１０４）に出力する（ステップＳ８４）。これにより、装着装置２００が取り付けられている状態では、端末装置１００の第１の再生手段１０４でのコンテンツ再生が継続される。
【００４５】
一方、出力先指示により指示されている出力先が外部機器３００である場合には（ステップＳ８２の「外部機器」）、コンテンツデータを外部機器３００（の第２の再生手段３０４、またはその第３の記憶手段３０３）に出力する（ステップＳ８６）。これにより、装着装置２００が取り外されている状態では、外部機器３００の第２の再生手段３０４でコンテンツデータが再生されるか、外部機器３００の第３の記憶手段３０３にコンテンツデータが記憶（録画）される。
【００４６】
なお、外部機器３００において、第３の記憶手段３０３と第２の再生手段３０４とは、図６に示すように、１つの外部機器３００に備えられてもよいし、別個の外部機器３００ａ、３００ｂに備えられてもよい。この場合、外部機器３００ａ、３００ｂのそれぞれに受信手段を備えるものとする。
【００４７】
上述した第２実施形態によれば、例えば、装着装置２００を取り付けている状態で、コンテンツデータを視聴している場合には、端末装置１００の表示部等（図示略）にて当該コンテンツデータが再生される。ここで、端末装置１００から装着装置２００を取り外すと、コンテンツデータの出力先が端末装置１００の表示部等（図示略）ではなく、外部機器３００の表示部等（図示略）に変更され、外部機器３００にてコンテンツデータの視聴が可能となる。なお、コンテンツデータが音楽データ等の場合も同様の動作で対応可能である。
【００４８】
上述した第２実施形態によれば、装着装置２００の取り付け、または取り外しをトリガーとして、コンテンツデータを簡単に、高性能スピーカーや高解像ディスプレイを有する外部機器に出力することができる。
【００４９】
Ｃ．第３実施形態
次に、本発明の第３実施形態について説明する。
図９は、本第３実施形態によるコンテンツ受信システム１を構成する端末装置１００と、装着装置２００との構成を示すブロック図である。図において、図２に対応する部分には同一の符号を付けて説明を省略する。端末装置１００は、携帯電話等の通信を行うための通信手段１０６を更に備えている。
【００５０】
図１０は、本第３実施形態による端末装置１００の動作を説明するためのフローチャートである。なお、装着装置２００の動作は、前述した図５に示すフローチャートと同様である。
端末装置１００は、コンテンツデータを受信し再生している状態で（ステップＳ９０）、着信があったか否かを判断し（ステップＳ９２）、着信がない場合には（ステップＳ９２のＮＯ）、選択手段１０５によって、コンテンツデータの出力先として端末装置１００（第１の再生手段１０４）を選択し（ステップＳ１０２）、端末装置１００（第１の再生手段１０４）を出力先として装着装置２００に指示する（ステップＳ１０４）。なお、装着装置２００が取り外されていない場合、出力先は変更されないので、ステップＳ１０２、Ｓ１０４を省略してもよい。
【００５１】
したがって、装着装置２００では、出力先指示により指示されている出力先が端末装置１００であるので、コンテンツデータを端末装置１００（第１の再生手段１０４）に出力する。これにより、着信がない状態では、端末装置１００の第１の再生手段１０４でのコンテンツ再生が継続される。
【００５２】
一方、コンテンツデータを受信し再生している状態で、着信があった場合には（ステップＳ９４のＹＥＳ）、検知手段１０２によって装着装置２００の取り外し有無を検知したか否かを判断する（ステップＳ９４）。そして、取り外しが検知されない場合には（ステップＳ９４のＮＯ）、上述したように、ステップＳ１０２で、選択手段１０５によって、コンテンツデータの出力先として端末装置１００（第１の再生手段１０４）を選択し、ステップＳ１０４で、端末装置１００（第１の再生手段１０４）を出力先として装着装置２００に指示する。なお、上述したように、装着装置２００が取り外されていない場合、出力先は変更されないので、ステップＳ１０２、Ｓ１０４を省略してもよい。
【００５３】
したがって、この場合も、上述同様に、装着装置２００では、出力先指示により指示されている出力先が端末装置１００であるので、コンテンツデータを端末装置１００（第１の再生手段１０４）に出力する。これにより、着信があった際に、装着装置２００が取り付けられている状態では、端末装置１００の第１の再生手段１０４でのコンテンツ再生が継続される。
【００５４】
一方、コンテンツデータを受信し再生している状態で、着信があり（ステップＳ９２のＹＥＳ）、かつ装着装置２００の取り外しが検知された場合には（ステップＳ９４のＹＥＳ）、選択手段１０５によって、コンテンツデータの出力先として第１の記憶手段２０３を選択し（ステップＳ９６）、第１の記憶手段２０３を出力先として装着装置２００に指示する（ステップＳ９８）。次に、着信応答を受け付け（ステップＳ１００）、通信手段１０６による通信処理へと進む。
【００５５】
したがって、装着装置２００では、出力先指示により指示されている出力先が第１の記憶手段２０３であるので、コンテンツデータを自身の第１の記憶手段２０３に出力する。これにより、着信があった際に、装着装置２００が取り外されている状態では、装着装置２００の第１の記憶手段２０３にコンテンツが記憶（録画）される。
【００５６】
通話後、再び、装着装置２００を端末装置１００に取り付けた場合には、通話で中断した時間分を遡って（タイムシフトして）、コンテンツデータを再生する。一方、通話後、再び、装着装置２００を端末装置１００に取り付けなかった場合には、所定の条件下（例えば、コンテンツ終了時まで、メモリフルになるまで等）で、装着装置２００の第１の記憶手段２０３へのコンテンツデータの記憶（録音・録画）を行う。
【００５７】
上述した第３実施形態によれば、コンテンツデータの再生中に着信があった場合でも、コンテンツデータの再生停止や、録画開始などの操作を行うことなく、装着装置２００の取り外しをトリガーとして着信に応答することができ、かつ通話中のコンテンツデータを装着装置２００の第１の記憶手段２０３に録画することができ、着信に応答している最中のコンテンツを見逃すことがない。
【００５８】
Ｄ．第４実施形態
次に、本発明の第４実施形態について説明する。
図１１は、本第４実施形態によるコンテンツ受信システム１を構成する端末装置１００と、装着装置２００との構成を示すブロック図である。図において、図２に対応する部分には同一の符号を付けて説明を省略する。端末装置１００は、コンテンツの視聴予約を受け付け、コンテンツ開始を通知する視聴予約手段１０７を更に備えている。視聴予約手段１０７は、更に視聴アプリケーションを起動してもよい。本第４実施形態では、視聴したいと思う番組を登録しておくと、視聴予約手段１０７により、コンテンツ開始を通知し、視聴アプリケーションを起動するようになっている。
【００５９】
図１２は、本第４実施形態による端末装置１００の動作を説明するためのフローチャートである。なお、装着装置２００の動作は、前述した図５に示すフローチャートと同様である。端末装置１００では、まず、視聴予約手段１０７にて視聴予約（視聴チャンネル、コンテンツ開始時刻等）を受け付ける。視聴予約手段１０７は、コンテンツ開始予定時刻になったか否かを判断し（ステップＳ１１０）、コンテンツ開始予定時刻になっていない場合には（ステップＳ１１０のＮＯ）、当該処理を終了する（図示しないメインルーチンなどへ戻る）。なお、コンテンツ開始予定時刻は、実際のコンテンツ開始時刻の他、コンテンツ開始の通知や視聴アプリケーションの起動に要する時間を考慮した時刻とすることができる。この場合、視聴予約手段１０７にてコンテンツの視聴予約を受け付けると、実際のコンテンツ開始時刻から所定時間前（十数秒、数分など、ユーザにより設定可能）の時刻がコンテンツ開始予定時刻として設定される。
【００６０】
一方、コンテンツ開始予定時刻になった場合には（ステップＳ１１０のＹＥＳ）、検知手段１０２によって装着装置２００の取り外し有無を検知したか否かを判断する（ステップＳ１１２）。そして、装着装置２００が取り外されている場合には（ステップＳ１１２のＹＥＳ）、選択手段１０５によって、コンテンツデータの出力先として第１の記憶手段２０３を選択し（ステップＳ１１４）、第１の記憶手段２０３を出力先として装着装置２００に指示する（ステップＳ１１６）。
【００６１】
装着装置２００では、出力先指示により指示されている出力先が第１の記憶手段２０３であるので、コンテンツデータを自身の第１の記憶手段２０３に出力する。これにより、視聴予約がされていたものの、装着装置２００が取り外されている場合には、装着装置２００の第１の記憶手段２０３にコンテンツが記憶（録画）される。
【００６２】
このとき、装着装置２００が取り外されていることを端末装置１００に設けられたスピーカー等の報知手段（図示略）によって報知するようにしてもよい。また、装着装置２００が再度取り付けられたことをトリガーとして、端末装置１００での再生に切り替えることもできる。
【００６３】
一方、取り外しが検知されない場合には（ステップＳ１１２のＮＯ）、選択手段１０５によって、コンテンツデータの出力先として端末装置１００（第１の再生手段１０４）を選択し（ステップＳ１１８）、端末装置１００（第１の再生手段１０４）を出力先として装着装置２００に指示する（ステップＳ１２０）。なお、装着装置２００が取り外されていない場合、出力先は変更されないので（端末装置１００）、ステップＳ１１８、Ｓ１２０を省略してもよい。
【００６４】
したがって、コンテンツ開始時刻に装着装置２００が取り付けられている場合には、端末装置１００の表示部等（図示略）にて当該コンテンツデータが再生される。
【００６５】
なお、コンテンツデータが音楽データ等の場合も同様の動作で対応可能である。
【００６６】
上述した第４実施形態によれば、視聴予約したコンテンツが開始される際に装着装置２００が取り付けられていなくても、装着装置２００の第１の記憶手段２０３にて記憶（録画）が行われるので、見逃すことがない。
【００６７】
なお、上述した第１乃至第４実施形態では、端末装置１００の検知手段１０２により、装着装置２００の取り付け、または取り外しの有無を検知し、端末装置１００の選択手段１０５により、その検知結果に基づいてコンテンツデータの出力先を選択し、端末装置１００から装着装置２００に出力先を指示するようにしたが、これに限らず、装着装置２００側の検知手段（図示略）で端末装置１００への取り付け、または取り外しの有無を検知し、装着装置２００側で、その検知結果に基づいてコンテンツデータの出力先を変更するようにしてもよい。
【００６８】
また、上述した第３実施形態では、コンテンツデータを受信し再生している状態で着信があった場合、装着装置２００を取り外すことで着信応答を行い、コンテンツデータを装着装置２００の第１の記憶手段２０３にて記憶するようにしたが、これに限らず、コンテンツデータを受信し再生している状態で着信があった場合、装着装置４００を取り外すことで着信応答のみを行うようにしてもよい。
【００６９】
また、上述した第１乃至第３実施形態では、端末装置１００が、装着装置２００からストリーミングデータを受信して再生している場合、装着装置２００の第１の記憶手段２０３に記憶（ダウンロード）するようにしてもよい。すなわち、装着装置２００は、受信したストリーミングデータを自身の第１の記憶手段２０３に出力するとともに、端末装置１００にも出力することになる。また、端末装置１００においても、装着装置２００からストリーミングデータを受信して再生しながら、自身の第２の記憶手段１０３に記憶するようにしていもよい。
【００７０】
また、本発明の実施形態は、端末装置として携帯電話に適用した例であるが、本発明はこれに限定されるものではない。無線通信可能な携帯型または据置型の端末機器、例えば、通信機能を持つデジタルカメラ、携帯情報端末、パーソナルコンピュータ、通信機、その他の電子機器等にも幅広く適用できる。
【００７１】
以下、本発明の特徴を付記する。
上記の実施形態の一部又は全部は、以下の付記のようにも記載されうるが、以下には限られない。
（付記１）
図１３は、付記１の構成図である。この図に示すように、付記１記載の発明は、
端末装置３００と、前記端末装置３００に着脱可能に取り付けられる装着装置４００とを有するコンテンツ受信システム１０であって、
前記装着装置４００は、
コンテンツデータを取得する取得手段４０１と、
前記取得手段により取得された前記コンテンツデータを前記端末装置に送信する送信手段４０２と、
前記コンテンツデータを記憶する第１の記憶手段４０３と
を備え、
前記端末装置３００は、
前記送信手段４０２により送信された前記コンテンツデータを受信する受信手段３０１と、
前記装着装置４００の取り付け、または取り外しを検知する検知手段３０２と、
前記コンテンツデータを再生する第１の再生手段３０４と、
前記検知手段３０２による前記装着装置４００の取り付け、または取り外しの検知結果に基づいて、前記受信手段３０１により受信された前記コンテンツデータの出力先として、前記第１の記憶手段４０３、または前記第１の再生手段３０４の少なくともいずれか一つを選択する選択手段３０５と
を備え、
前記装着装置４００は、
前記端末装置３００の前記選択手段３０５による選択結果に基づいて、前記第１の記憶手段４０３、または前記第１の再生手段３０４の少なくともいずれか一つに、前記取得手段４０１により取得された前記コンテンツデータを出力する
ことを特徴とするコンテンツ受信システムである。
【００７２】
（付記２）
前記端末装置は、前記コンテンツデータを記憶する第２の記憶手段を更に備え、前記選択手段は、前記検知手段による前記装着装置の取り付け、または取り外しの検知結果に基づいて、前記受信手段により受信された前記コンテンツデータの出力先として、前記第１の記憶手段、前記第２の記憶手段、または前記第１の再生手段の少なくともいずれか一つを選択し、前記装着装置は、前記端末装置の前記選択手段による選択結果に基づいて、前記第１の記憶手段、前記第２の記憶手段、または前記第１の再生手段の少なくともいずれか一つに、前記取得手段により取得された前記コンテンツデータを出力することを特徴とする付記１に記載のコンテンツ受信システムである。
【００７３】
（付記３）
前記選択手段は、前記検知手段により前記装着装置の取り外しが検知されると、前記コンテンツデータの出力先として、前記第１の記憶手段を選択し、前記装着装置は、前記端末装置の前記選択手段によって選択された出力先である前記第１の記憶手段に、前記取得手段により取得された前記コンテンツデータを出力することを特徴とする付記１または２に記載のコンテンツ受信システムである。
【００７４】
（付記４）
前記端末装置、及び／または前記装着装置に、有線または無線によって接続され、第２の再生手段、及び／または第３の記憶手段を備える外部機器を更に備え、前記選択手段は、前記検知手段による前記装着装置の取り付け、または取り外しの検知結果に基づいて、前記コンテンツデータの出力先として、更に、前記第２の再生手段、または前記第３の記憶手段の少なくともいずれか一つを選択し、前記装着装置は、前記端末装置の前記選択手段による選択結果に基づいて、前記コンテンツデータの出力先として、更に、前記第２の再生手段、または前記第３の記憶手段の少なくともいずれか一つに、前記取得手段により取得された前記コンテンツデータを出力することを特徴とする付記１または２に記載のコンテンツ受信システムである。
【００７５】
（付記５）
前記端末装置は、着信応答機能を有する通信手段を更に備え、前記検知手段は、前記第１の再生手段により前記コンテンツデータが再生されている際に着信があった場合に、前記装着装置の取り付け、または取り外しを検知し、前記通信手段は、前記検知手段により前記装着装置の取り外しが検知されると、着信応答を開始することを特徴とする付記１乃至３のいずれかに記載のコンテンツ受信システムである。
【００７６】
（付記６）
前記第１の再生手段は、前記着信応答手段による着信応答に伴う通話の終了後、前記検知手段により前記装着装置の取り付けが検知された場合には、前記第１の記憶手段に記憶されているコンテンツデータを、前記通話により再生が中断されていた時間分を遡って再生することを特徴とする付記５に記載のコンテンツ受信システムである。
【００７７】
（付記７）
前記端末装置は、コンテンツデータの視聴予約を受け付ける視聴予約手段を更に備え、前記検知手段は、前記視聴予約手段により受け付けられたコンテンツデータの視聴開始予定時刻になると、前記装着装置の取り付け、または取り外しを検知し、前記選択手段は、前記検知手段により前記装着装置の取り付け、または取り外しの検知結果に基づいて、前記コンテンツデータの出力先として、前記第１の再生手段、または前記第１の記憶手段の少なくともいずれか一つを選択し、前記装着装置は、前記端末装置の前記選択手段による選択結果に基づいて、前記第１の再生手段、または前記第１の記憶手段の少なくともいずれか一つに、前記取得手段により取得された前記コンテンツデータを出力することを特徴とする付記３乃至５に記載のコンテンツ受信システムである。
【００７８】
（付記８）
端末装置に着脱可能に取り付けられる装着装置であって、コンテンツデータを取得する取得手段と、前記コンテンツデータを記憶する記憶手段と、当該装着装置の前記端末装置への取り付け、または取り外しの検知結果に基づいて選択される、前記コンテンツデータの出力先指定に基づいて、前記記憶手段、または前記端末装置の少なくともいずれか一つに、前記取得手段により取得された前記コンテンツデータを出力する出力手段とを備えることを特徴とする装着装置である。
【００７９】
（付記９）
装着装置が着脱可能に取り付けられる端末装置であって、前記装着装置から送信された前記コンテンツデータを受信する受信手段と、前記装着装置の取り付け、または取り外しを検知する検知手段と、前記受信手段により受信された前記コンテンツデータを再生する再生手段と、前記検知手段による前記装着装置の取り付け、または取り外しの検知結果に基づいて、前記コンテンツデータの出力先として、前記装着装置、または前記再生手段の少なくともいずれか一つを選択し、該選択した前記コンテンツデータの出力先を、前記装着装置に指示する選択手段とを備えることを特徴とする端末装置である。
【００８０】
（付記１０）
端末装置と、前記端末装置に着脱可能に取り付けられる装着装置とを有するコンテンツ受信システムであって、前記装着装置は、コンテンツデータを取得する取得手段と、前記取得手段により取得された前記コンテンツデータを前記端末装置に送信する送信手段とを備え、前記端末装置は、着信応答機能を有する通信手段と、前記送信手段により送信された前記コンテンツデータを受信する受信手段と、前記受信手段により受信されるコンテンツデータを再生する第１の再生手段と、前記第１の再生手段により前記コンテンツデータが再生されている際に着信があった場合に、前記装着装置の取り付け、または取り外しを検知する検知手段とを備え、前記検知手段により前記装着装置の取り外しが検知されると、前記通信手段により着信応答を開始することを特徴とするコンテンツ受信システムである。
【符号の説明】
【００８１】
１  コンテンツ受信システム
１００  端末装置
１０１  送受信手段
１０２  検知手段
１０３  第２の記憶手段
１０４  第１の再生手段
１０５  選択手段
１０６  通信手段
１０７  視聴予約手段
２００  装着装置
２０１  取得手段
２０２  送受信手段
２０３  第１の記憶手段
３００、３００ａ、３００ｂ  外部機器
３０３  第３の記憶手段
３０４  第２の再生手段
３０５  受信手段
【図１】
0005892590.tif 000002
【図２】
0005892590.tif 000003
【図３】
0005892590.tif 000004
【図４】
0005892590.tif 000005
【図５】
0005892590.tif 000006
【図６】
0005892590.tif 000007
【図７】
0005892590.tif 000008
【図８】
0005892590.tif 000009
【図９】
0005892590.tif 000010
【図１０】
0005892590.tif 000011
【図１１】
0005892590.tif 000012
【図１２】
0005892590.tif 000013
【図１３】
0005892590.tif 000014